(57)【要約】  【課題】  ケーブルの当初の支持状態を確実に保つことのできる隧道壁面のケーブル支持装置を提供する。  【解決手段】  隧道の内壁面に取付けた支持基枠１の前面板１ａに支持受３を着脱自在に取付けて突設し、該支持受３にケーブルｃを受止させたケーブル支持装置において、前記前面板１ａと前記支持受３の上面板９ａのそれぞれに受止孔５，１１を設ける。そして、前記前面板１ａ側の受止孔５に一端の係止片８を、前記上面板９ａ側の受止孔１１に他の一端の係止片１０をそれぞれ係離自在に係止した弾性挟持枠４の弯曲挟持片１２に前記ケーブルｃの一部を係合し、該ケーブルｃを該弯曲挟持片１２と前記上面板９ａをそれぞれ圧接させて挟持する。【選択図】    図２
2010136474.tif 000002
【特許請求の範囲】
【請求項１】
隧道の内壁面に取付けた支持基枠の前面板に支持受を着脱自在に取付けて突設し、該支持受にケーブルを受止させたケーブル支持装置において、前記前面板と前記支持受の上面板のそれぞれに受止孔を設け、前記前面板側の受止孔に一端の係止片を、前記上面板側の受止孔に他の一端の係止片をそれぞれ係離自在に係止した弾性挟持枠の弯曲挟持片に前記ケーブルの一部を係合し、該ケーブルを該弯曲挟持片と前記上面板をそれぞれ圧接させて挟持した、隧道壁面のケーブル支持装置。
【発明の詳細な説明】
【技術分野】
【０００１】
本発明はケーブルを隧道の壁面に沿わせて配線する際に用いる、隧道壁面のケーブル支持装置に関するものである。
【背景技術】
【０００２】
隧道の壁面に所定間隔を存して支持基枠を取付け、該支持基枠の前面板に支持受を着脱自在に取付け、該支持枠にケーブル受支させるようにした構造のものがある（例えば、特許文献１）が、この従来例は、上面が平坦な、支持受の上面に単に載せてケーブルを支持させようとするため、車両の通過によって生じる振動の繰返しによって支持受からケーブルが容易に脱落する虞れがあり、このため、前支持受の上面に凹入部を設け、該凹入部にケーブルを係合して支持枠の基部から先端方向への移動を規制し、脱落に対処したものが提案されている(例えば、特許文献２）。
【０００３】
【特許文献１】実開昭６３−６３４号公報
【特許文献２】特開２００４−１４０９８５号公報
【発明の開示】
【発明が解決しようとする課題】
【０００４】
前記凹入部を備えた構造のものは、支持受の基部から自由端である先端方向への移動を防ぐという意味では脱落に対処したものであるが、ケーブルに作用する軸線方向の力に対応できず、ケーブルは軸線方向に移動し、支障を来たすことがある。
【０００５】
本発明は、このような従来例の欠点に着目し、ケーブルの当初の支持状態を確実に保つことのできる装置を提供するために創案したものである。
【課題を解決するための手段】
【０００６】
隧道の内壁面に取付けた支持基枠の前面板に支持受を着脱自在に取付けて突設し、該支持受にケーブルを受止させたケーブル支持装置において、前記前面板と前記支持受の上面板のそれぞれに受止孔を設け、前記前面板側の受止孔に一端の係止片を、前記上面板の受止孔に他の一端の係止片をそれぞれ係離自在に係止した弾性挟持枠の弯曲挟持片に前記ケーブルの一部を係合し、該ケーブルを該弯曲挟持片と前記上面板をそれぞれ圧接させて挟持した構成とするのである。
【発明の効果】
【０００７】
本発明によれば、支持受上にケーブルを載置した状態で弾性挟持枠を、ケーブルを
介して支持基枠と支持受に渡すようにして組付けられるから、ケーブルの支持作業に人手を必要としないことは勿論、ケーブルは支持受と挟持枠とで挟圧されて支持受上に支持されるものであるから、支持受上をケーブルが移動することなく、当初の支持状態を確実に維持できる隧道壁面のケーブル支持装置を提供できる。
【実施例】
【０００８】
図面は本発明に係る隧道壁面のケーブル支持装置の一実施例を示し、図１は側面図、図２は図１の一部拡大断面図、図３は弾性挟持枠の斜視図、図４は弾性挟持枠と他の部材との組合せ関係を示す斜視図である。
【０００９】
図中、１は上下両端の設けた止着部片１ｂ，１ｂにおいてボルトｂで隧道壁面ｗに、横方向に所要間隔を存して固定した支持基枠で、実施例は、金属板を屈曲形成したこの支持基枠１の縦長の前面板１ａに適宜数の取付け部２を上下方向に並べて設け、所望の取付け部２において支持受３と弾性挟持枠４を組付け、ケーブルｃを所要間隔を置いて支持するようにしたものである。
【００１０】
前記取付け部２は、両端を背面側方向に折曲げて補強部片１ａ´，１ａ´を相対設した前面板１ａに設けた第一乃至第三の各受止孔５，６，７で構成し、前面板１ａの左右方向の中央に第一受止孔５を配してこれに前記弾性挟持枠４の一側に設けた係止片８を係止させるようにし、該第一受止孔５の直下に設けた第二受止孔６には前記支持受３に設けた係止部片９´を係止させるようにし、また、該第二受止孔６の下側の両側に並設した一対の、前記第三受止孔７，７には前記支持受３に設けた掛止部片９´´，９´´を掛止させるようにしたものである。
【００１１】
支持受３は、金属板を屈曲して成り、前後方向に長い長方形状の上面板９ａの両側に側板９ｂ，９ｂを相対設して構成した主体枠９の前記上面板９ａ（支持受３の上面板でもある）の先端側に、前記弾性挟持枠４の他側に設けた他の係止片１０を係止する受止孔１１を設け、上面板９ａの後端すなわち基端には、ほぼＴ字状の前記係止部片９´を突設し、この係止部片９´の基端縁と基端縁を同面上に位置させた前記掛止部片９´´を、前記側板９ｂの後端すなわち基端に突設して構成し、掛止部片９´´を先部と掛止部とで成る鉤状体としたものである。
【００１２】
支持受３は、係止部片９´を支持基枠１の取付け部２の第二受止孔６に、掛止部片９´´を第三受止孔７にそれぞれ挿道させ、各部片９´，９´´を各孔６，７に沿って降下させ、各孔６，７の下縁上に載せることにより係止部片９´は第二受止孔６に係止され、係止部片９´´は第三受止孔７に掛止して支持基枠１に取付けられ、その前面板１ａに突設される。
【００１３】
前記弾性挟持枠４は、上部片４ａと該上部片４ａの先端を折り曲げて連設した前部片４ｂとで成るＬ形枠体で成り、前記上部片４ａの中間部を上方に膨出させて設けた弯曲部１２ａの両端に、上部片４ａを切り起こすようにした円弧状の舌状片１２ｂを延設するようにして設けた弯曲狭持片１２を備え、上部片４ａの自由端すなわち弾性挟持枠４の一端には前記係止片８を、前部片４ｂすなわち弾性挟持枠４の他端には前記係止片１０を設けて構成したものである。
【００１４】
そして、隧道壁面ｗに固着した前記支持基枠１に片持ち梁状にして支持させた前記支持受３の上面板９ａ上に載せたケーブルｃに弯曲狭持片１２の弯曲部１２ａを係合させるようにして弾性挟持枠４の一方の係止片８を、支持基枠１の前面板１ａに設けた前記第一受止孔５に強制部に挿通させてその縁部において前面板１ａに係止させる一方、弾性挟持枠４の前部片４ｂに突出させた他の後止片１０を弾性変形させて前記受止孔１１に強制部に挿通させてその縁部において、支持受３の上面板９ａに係止させ、ケーブルｃを弯曲挟持片１２と支持受３の上面板９ａとで狭持し、実施例装置を得るのである。
【００１５】
尚、弯曲挟持片１２の円弧（弯曲）形と逆方向の円弧（弯曲）形として相対する係合部１３を支持受３の上面板９ａに設けてケーブルｃを係合させてあるが、該係合部１３は支持受３にケーブルｃを載せる際の目印となるもので、本発明の実施する上に必ずしも必要としない。
【００１６】
弯曲挟持片１２の自由端部１２´をケーブルｃから離開する方向に折り曲げてあるのは、弯曲挟持片１２の自由端がケーブルｃにその弾性によって喰い込むのを防ぐためであり、ケーブルｃを挟持枠４の挟持片１２と支持受３の上面板９ａとで挟持枠４側の弾性を利用して長期間挟持させるのであれば、支持片１２の自由端は実施例のような自由端部１２´の形状にしてケーブルｃに圧接させない方が望ましい。
【図面の簡単な説明】
【００１７】
【図１】側面図。
【図２】図１の一部拡大断面図。
【図３】弾性挟持枠の斜視図。
【図４】弾性挟持枠と他の部材との組合せ関係を示す斜視図。
【符号の説明】
【００１８】
１      支持基枠
１ａ    前面板
３      支持受
４      弾性挟持枠
５      第一受止孔
９ａ    上面板
１１    受止孔
１２    弯曲挟持片
【図１】
2010136474.tif 000003
【図２】
2010136474.tif 000004
【図３】
2010136474.tif 000005
【図４】
2010136474.tif 000006